(57)【要約】【課題】モバイル通信機器からの電子メッセージをフォーマットする装置および方法を提供すること。【解決手段】電子メッセージを送受信し、電子メッセージシステムにおける電子メッセージアカウントに関連づけられたモバイル通信機器への電子メッセージおよびモバイル通信機器からの電子メッセージをリダイレクトするように動作可能な電子メッセージシステムが使用され得る。モバイル通信機器からリダイレクションのための電子メッセージを受信すると、電子メッセージシステムは、電子メッセージのメッセージフォーマットを識別し、識別されたメッセージフォーマットを用いて電子メッセージを再フォーマットし、再フォーマットされたメッセージを配信用にリダイレクトするように動作可能であり得る。識別されたメッセージフォーマットは、モバイル通信機器から送信される電子メッセージなどに使用され得る。【選択図】図１
2008017519.tif 000002
【特許請求の範囲】
【請求項１】
モバイル通信機器から送信され、第１の電子メールアカウントにアドレス指定された電子メッセージをフォーマットする方法であって、該モバイル通信機器は、電子メッセージシステム内の第２の電子メールアカウントに関連づけられており、
該方法は、
該電子メッセージシステムにおいて、第１の電子メッセージを受信することであって、該第１の電子メッセージがメッセージフォーマットを含む、ことと、
該第１の電子メッセージを該電子メッセージシステムから該モバイル通信機器にリダイレクトすることと、
該電子メッセージシステムにおいて、該モバイル通信機器から第２の電子メッセージを受信することであって、該第２の電子メッセージが該第１の電子メールアカウントにアドレス指定され、該第２の電子メッセージがメッセージ本体を含み、該メッセージ本体が該モバイル通信機器で生じた第１のテキスト部分と、該第１の電子メッセージからコピーされた第２のテキスト部分とを含む、ことと、
該第２のテキスト部分のメッセージフォーマットを識別することと、
該第２のテキスト部分の該メッセージフォーマットを使用して、該第１のテキスト部分をフォーマットすることと、
該フォーマットされた第２の電子メッセージを該第１の電子メールアカウントに送信することと
を含む、方法。
【請求項２】
前記メッセージフォーマットがフォントタイプを含む、請求項１に記載の方法。
【請求項３】
前記メッセージフォーマットがフォントサイズを含む、請求項１に記載の方法。
【請求項４】
前記メッセージフォーマットがフォントカラーを含む、請求項１に記載の方法。
【請求項５】
前記第１の電子メッセージが前記第１の電子メールアカウントから送信され、前記第２の電子メッセージが返信メッセージである、請求項１に記載の方法。
【請求項６】
前記第１の電子メッセージが第３の電子メールアカウントから送信され、前記第２の電子メッセージが転送されたメッセージである、請求項１に記載の方法。
【請求項７】
前記メッセージフォーマットが前記第１の電子メッセージに含まれるメタデータから識別される、請求項１に記載の方法。
【請求項８】
前記メッセージフォーマットが前記第１の電子メッセージ内のコンテンツタイプフィールドから識別される、請求項７に記載の方法。
【発明の詳細な説明】
【技術分野】
【０００１】
本明細書中に記載される技術は、一般に電子メッセージシステムの分野に関連する。特に、本明細書は、モバイル通信機器からの電子メッセージをフォーマットするシステムおよび方法を記載する。
【背景技術】
【０００２】
モバイル通信機器への電子メッセージおよびモバイル通信機器からの電子メッセージをリダイレクトすることができる電子メッセージシステムは、公知である。そのような電子メッセージシステムにおいて、モバイル通信機器は、電子メッセージシステム内部の電子メッセージアカウントに関連づけられ得る。電子メッセージアカウントから送信される電子メッセージは、典型的には、デフォルト設定またはアカウントホルダーにより確立されるフォーマットプリファランスのいずれかを用いて、フォーマットされる。送信する電子メッセージの好ましいメッセージフォーマットは、典型的には、デスクトップクライアントからのアカウントホルダーにより設定され得る。例えば、アカウントホルダーは、典型的には、電子メッセージアカウントに関連づけられたデスクトップクライアントからのフォントサイズ、フォントカラー、フォントタイプおよび／またはその他のメッセージフォーマット特性を設定し得る。電子メッセージがデスクトップクライアントで構成される場合、メッセージは電子メッセージアカウントからデフォルト設定またはメッセージフォーマットプリファランスを用いて送信される。しかし、デスクトップクライアントで構成されるメッセージに使用されるメッセージフォーマットは、典型的には、関連するモバイル通信機器から送信されるメッセージに適用されない。このようにして、モバイル通信機器で構成される電子メッセージは、関連するデスクトップクライアントから送信されるメッセージと異なるようにフォーマットされ得る。例えば、デスクトップクライアントからのメッセージは、異なるフォントタイプ、カラーまたはサイズを含み得る一方で、モバイル通信機器からのメッセージは、プレーンテキストフォーマットを用いてフォーマットされ得る。
【発明の開示】
【課題を解決するための手段】
【０００３】
本システムおよび方法は、モバイル通信機器からの電子メッセージをフォーマットするために提供される。電子メッセージを送受信し、電子メッセージシステムにおける電子メッセージアカウントに関連づけられたモバイル通信機器への電子メッセージおよびモバイル通信機器からの電子メッセージをリダイレクトするように動作可能な電子メッセージシステムが使用され得る。モバイル通信機器からリダイレクションのための電子メッセージを受信すると、電子メッセージシステムは、電子メッセージのメッセージフォーマットを識別し、識別されたメッセージフォーマットを用いて電子メッセージを再フォーマットし、再フォーマットされたメッセージを配信用にリダイレクトするように動作可能であり得る。識別されたメッセージフォーマットは、モバイル通信機器から送信される電子メッセージ、および、電子メッセージアカウントに関連づけられたデスクトップクライアントから送信される電子メッセージの両方に使用され得る。
【０００４】
本発明の方法は、モバイル通信機器から送信され、第１の電子メールアカウントにアドレス指定された電子メッセージをフォーマットする方法であって、該モバイル通信機器は、電子メッセージシステム内の第２の電子メールアカウントに関連づけられており、該方法は、該電子メッセージシステムにおいて、該モバイル通信機器からの該電子メッセージを受信することと、該第２の電子メールアカウントに関連づけられたメッセージフォーマ
ットを識別することと、該識別されたメッセージフォーマットを使用して該電子メッセージをフォーマットすることと、該第１の電子メールアカウントに該フォーマットされた電子メッセージを送信することとを含み、該モバイル通信機器、または、該第２の電子メールアカウントのいずれかから送信される電子メッセージが、該第２の電子メールアカウントに関連づけられた該メッセージフォーマットを含む。
【０００５】
前記メッセージフォーマットがフォントタイプを含んでいてもよい。
【０００６】
前記メッセージフォーマットがフォントサイズを含んでいてもよい。
【０００７】
前記メッセージフォーマットがフォントカラーを含んでいてもよい。
【０００８】
前記第１の電子メールアカウントが前記電子メッセージシステム内にあってもよい。
【０００９】
前記第１の電子メールアカウントが別の電子メッセージシステム内にあってもよい。
【００１０】
本発明の他の方法は、モバイル通信機器から送信され、第１の電子メールアカウントにアドレス指定された電子メッセージをフォーマットする方法であって、該モバイル通信機器は、電子メッセージシステム内の第２の電子メールアカウントに関連づけられており、該方法は、該電子メッセージシステムにおいて、第１の電子メッセージを受信することであって、該第１の電子メッセージがメッセージフォーマットを含む、ことと、該第１の電子メッセージを該電子メッセージシステムから該モバイル通信機器にリダイレクトすることと、該電子メッセージシステムにおいて、該モバイル通信機器から第２の電子メッセージを受信することであって、該第２の電子メッセージが該第１の電子メールアカウントにアドレス指定され、該第２の電子メッセージがメッセージ本体を含み、該メッセージ本体が該モバイル通信機器で生じた第１のテキスト部分と、該第１の電子メッセージからコピーされた第２のテキスト部分とを含む、ことと、該第２のテキスト部分のメッセージフォーマットを識別することと、該第２のテキスト部分の該メッセージフォーマットを使用して、該第１のテキスト部分をフォーマットすることと、該フォーマットされた第２の電子メッセージを該第１の電子メールアカウントに送信することとを含む。
【００１１】
前記メッセージフォーマットがフォントタイプを含んでいてもよい。
【００１２】
前記メッセージフォーマットがフォントサイズを含んでいてもよい。
【００１３】
前記メッセージフォーマットがフォントカラーを含んでいてもよい。
【００１４】
前記第１の電子メッセージが前記第１の電子メールアカウントから送信され、前記第２の電子メッセージが返信メッセージであってもよい。
【００１５】
前記第１の電子メッセージが第３の電子メールアカウントから送信され、前記第２の電子メッセージが転送されたメッセージであってもよい。
【００１６】
前記メッセージフォーマットが前記第１の電子メッセージに含まれるメタデータから識別されてもよい。
【００１７】
前記メッセージフォーマットが前記第１の電子メッセージ内のコンテンツタイプフィールドから識別されてもよい。
【００１８】
本発明のシステムは、メールサーバとエンタープライズサーバとを有する電子メッセー
ジシステムであって、該メールサーバは、電子メッセージを送信し、受信するように動作可能であり、該エンタープライズサーバは、該電子メッセージシステム内の電子メッセージアカウントに関連づけられたモバイル通信機器に、および、モバイル通信機器から、電子メッセージをリダイレクトするように動作可能である、電子メッセージシステムにおいて、該エンタープライズサーバは、データおよびプログラム情報を格納するように動作可能なメモリサブシステムと、該メモリサブシステム内のデータを格納および検索し、該メモリサブシステム内に格納されたプログラムを実行するように動作可能なプロセッシングサブシステムと、該メモリサブシステム内に格納され、該プロセッシングサブシステムによって実行されるメッセージフォーマットプログラムとを含み、該メッセージフォーマットプログラムは、該エンタープライズサーバに、該モバイル通信機器から受信された電子メッセージ用のメッセージフォーマットを識別させ、該識別されたメッセージフォーマットを使用して該受信された電子メッセージを再フォーマットさせ、該電子メッセージシステムによって配信するために該再フォーマットされたメッセージをリダイレクトさせるように動作可能であり、該識別されたメッセージフォーマットは、該モバイル通信機器から送信された電子メッセージ、および、該電子メッセージアカウントに関連づけられたデスクトップクライアントから送信された電子メッセージの両方のために使用される。
【発明を実施するための最良の形態】
【００１９】
図を参照すると、図１は、モバイル通信機器１２からの電子メッセージをフォーマットする電子メッセージシステム１４の例を示すブロック図１０である。電子メッセージシステム１４は、少なくとも１つの電子メッセージアカウント１８と、メッセージフォーマットデータ２０を格納するストレージ媒体２０とを含む。また、リモート電子メッセージアカウント１６および１つ以上の通信ネットワーク２２を図示されている。
【００２０】
電子メッセージシステム１４は、電子メッセージアカウント１６、１８の間で電子メッセージを送受信し、モバイル通信機器１２への電子メッセージおよびモバイル通信機器１２からの電子メッセージをリダイレクトするように動作可能であり得る。例えば、電子メッセージアカウント１６、１８は、１つ以上のメールサーバ上で実行している電子メッセージソフトウェアにより維持され得る。電子メッセージアカウント１６、１８は、（図示されるように）別個の電子メッセージシステムに含まれてもよいし、同一の電子メッセージシステム１４内部に含まれてもよい。例えば、電子メッセージアカウント１６、１８は、関連するデスクトップクライアントにより電子メッセージを送受信するように動作し得る。例えば、メッセージフォーマットデータ２０は、デスクトップクライアントを用いてアカウントホルダーにより設定され得、電子メッセージアカウント１８に関連づけられた電子メールアカウントデータベース内に格納され得る。電子メッセージシステム１４の例は、図４を参照して後述される。
【００２１】
通信ネットワーク２２は、広域ネットワークのような１つ以上のコンピュータネットワークと、１つ以上のワイヤレス通信ネットワークとを含み得る。例えば、リモート電子メッセージアカウント１６は、インターネットのような広域コンピュータネットワーク経由で電子メッセージシステム１４と通信し得る。例えば、モバイル通信機器１２は、広域コンピュータネットワークおよびワイヤレス通信ネットワークの双方を経由して電子メッセージシステム１４と通信し得る。
【００２２】
動作において、電子メッセージシステム１４は、モバイル通信機器１２から送信される電子メッセージが、関連する電子メッセージアカウント１８から送信される電子メッセージと同様にフォーマットされるように、格納されている電子メッセージフォーマットデータ２０を用いて送信する電子メッセージをフォーマットする。例えば、第１の電子メッセージ２４は、第１のメッセージフォーマット（ＭＦＡ）を用いてモバイル通信機器１２で構成され得、リモート電子メッセージアカウント１６にアドレス指定され得る。モバイル
通信機器１２からの電子メッセージ２４は、ネットワーク２２上で、電子メッセージシステム１４に送信され、そこで電子メッセージ２４はメッセージフォーマットデータ２０を用いて再フォーマットされる。次いで、再フォーマットされたメッセージ（ＭＦＢ）２６は、ネットワーク上で、リモート電子メッセージアカウント１６にリダイレクトされる。同様に、（例えば、デスクトップクライアントで構成される）電子メッセージアカウント１８から送信される電子メッセージ２８は、メッセージフォーマットデータ２０を用いてフォーマットされ、ネットワーク２２上で、リモート電子メッセージアカウント１６に配信される。このように、モバイル通信機器１２またはそれに関連づけられた電子メッセージアカウント１８のいずれかからリモート電子メッセージアカウント１６に送信される電子メッセージ２６、２８は、同一のメッセージフォーマット（ＭＦＢ）を有する。
【００２３】
図２は、モバイル通信機器１２からの返信メッセージをフォーマットする電子メッセージシステム１４の例を示すブロック図３０である。この例３０は、モバイル通信機器１２から送信される電子メッセージ３４がリモート電子メッセージアカウント１６から受信されるメッセージ３２に対する返信であることを除いて、図１に示されるシステムおよび方法の例に類似している。
【００２４】
典型的な電子メッセージシステムでは、デスクトップクライアントから送信される返信メッセージは、しばしば受信メッセージと同じメッセージフォーマットを用いてフォーマットされる。例えば、Ｃｏｕｒｉｅｒフォントを用いてフォーマットされたメッセージ本体を有するメッセージが電子メッセージアカウント１８で受信される場合、電子メッセージアカウント１８からの返信メッセージ（例えば、デスクトップクライアントで返信機能を選択することにより作成されるメッセージ）は、典型的には、同じＣｏｕｒｉｅｒフォントを用いて自動的にフォーマットされる。図２に示されるシステムおよび方法は、モバイル通信機器１２からのメッセージに返信するために、この自動フォーマットプロセスを拡張する。
【００２５】
メッセージフォーマットデータ２０は、電子メッセージアカウント１８およびそれに関連づけられたモバイル通信機器１２の双方からのメッセージに返信するために電子メッセージシステム１４により使用されるフォーマットを識別し得る。例えば、メッセージフォーマットデータ２０は、電子メッセージシステム１４に、オリジナルメッセージ３２（すなわち、返信の対象となるメッセージ）からのメッセージフォーマットを用いて全ての返信メッセージをフォーマットするよう指示し得る。例えば、オリジナルメッセージ３２のメッセージフォーマットは、メッセージ３２内部のコンテンツタイプフィールドのようなメタデータを用いて、電子メッセージシステム１４により識別され得る。その代わりに、メッセージフォーマットデータ２０は、他の統一様式で、電子メッセージアカウント１８およびモバイル通信機器１２からの返信メッセージをフォーマットするように（例えば、デスクトップクライアントにより）設定され得る。
【００２６】
図２の例において、第１のメッセージフォーマット（ＭＦＡ）を用いてフォーマットされる電子メッセージ３２は電子メールアカウント１８にアドレス指定され、ネットワーク２２を介して、電子メッセージシステム１４に配信される。次いで、電子メッセージシステム１４は、受信メッセージ３２を識別された電子メッセージアカウント１８に配信し、また、ネットワーク２２上でメッセージ３２のコピーをモバイル通信機器１２にリダイレクトする（例えば、図４を参照）。返信メッセージ３８が、（例えば、デスクトップクライアントにより構成される）電子メッセージアカウント１８から送信される場合には、電子メッセージシステム１４は、メッセージフォーマットデータ２０にアクセスし、識別されるメッセージフォーマット（ＭＦＡ）を用いて返信メッセージ３８をフォーマットする。同様に、返信メッセージ３４がモバイル通信機器１２から送信される場合には、電子メッセージシステム１４は、適切なフォーマットを決定するためにメッセージフォーマット
データ２０にアクセスし、それに適合するように返信メッセージ３６を再フォーマットする。例えば、メッセージフォーマットデータ２０は、電子メッセージシステム１４に、モバイル通信機器１２および電子メッセージアカウント１８の双方を受信メッセージ３２と同じメッセージフォーマット（ＭＦＡ）を用いてフォーマットするよう指示し得る。
【００２７】
図３は、モバイル通信機器１２からの転送メッセージをフォーマットする電子メッセージシステムの例を示すブロック図４０である。この例４０は、モバイル通信機器１２から送信される電子メッセージ４８が第１の電子メッセージアカウント４２から受信され、第２の電子メッセージアカウント４４に転送されたことを除いて、図１および図２のシステムおよび方法の例に類似している。
【００２８】
返信メッセージと同様に、転送メッセージは、典型的な電子メッセージシステムにおいて、受信メッセージと同じメッセージフォーマットを用いてしばしばフォーマットされる。転送メッセージは、典型的には受信メッセージの全てまたは一部、また、追加メッセージテキストや添付ファイル等を含み得る。例えば、Ｃｏｕｒｉｅｒフォントタイプでフォーマットされたメッセージが電子メッセージアカウント１８で受信される場合には、一般的に、同じＣｏｕｒｉｅｒフォントタイプが、電子メッセージアカウント１８からの転送メッセージに含まれる任意の追加メッセージテキストに自動的に使用される。図３に示されるシステムおよび方法は、モバイル通信機器１２からのメッセージを転送するためにこの自動フォーマットプロセスを拡張する。
【００２９】
メッセージフォーマットデータ２０は、電子メッセージアカウント１８およびそれに関連づけられたモバイル通信機器１２の双方からのメッセージを転送するために電子メッセージシステム１４により使用されるフォーマットを識別し得る。例えば、メッセージフォーマットデータ２０は、電子メッセージシステム１４に、オリジナルメッセージ４６からのメッセージフォーマットを用いて全ての転送メッセージをフォーマットするよう指示し得る。例えば、オリジナルメッセージ４６のメッセージフォーマットは、メッセージ４６内部のメタデータ（例えば、コンテンツタイプフィールド）から電子メッセージシステム１４により識別され得る。その代わりに、メッセージフォーマットデータ２０は、他の統一様式で、電子メッセージアカウント１８およびモバイル通信機器１２からの転送メッセージをフォーマットするよう（例えば、デスクトップクライアントにより）設定され得る。
【００３０】
図３の例において、第１のフォーマット（ＭＦＡ）を有する電子メッセージ４６は、電子メッセージアカウント１８にアドレス指定され、ネットワーク２２経由で、電子メッセージシステム１４に配信される。メッセージ４６を受信する際に、電子メッセージシステム１４は電子メッセージアカウント１８内にメッセージ４６を置き、また、ネットワーク２２を介して、モバイル通信機器１２にメッセージ４６のコピーをリダイレクトする（例えば、図４を参照）。転送メッセージ５２が（例えば、デスクトップクライアントにより構成される）電子メッセージアカウント１８から送信される場合には、電子メッセージシステム１４はメッセージフォーマットデータ２０にアクセスし、転送メッセージ５２を識別されたメッセージフォーマット（ＭＦＡ）を用いてフォーマットする。同様に、転送メッセージ４８がモバイル通信機器１２から送信される場合には、電子メッセージシステム１４はメッセージフォーマットを識別するためにメッセージフォーマットデータ２０にアクセスし、それに適合するように転送メッセージ５２を再フォーマットする。例えば、メッセージフォーマットデータ２０は、電子メッセージシステム１４に、モバイル通信機器１２および電子メッセージアカウント１８の双方からの転送メッセージ５０、５２を受信メッセージ４６と同じメッセージフォーマット（ＭＦＡ）を用いてフォーマットするよう指示し得る。
【００３１】
図４は、モバイル通信機器３２０への電子メッセージおよびモバイル通信機器３２０からの電子メッセージをリダイレクトするシステム３００の例のブロック図である。リダイレクションシステム３００の例は、エンタープライズサーバ３０４と、メールサーバ３０２と、電子メッセージ（電子メール）アカウントデータ用ストレージ媒体３０６と、ワイヤレスゲートウェイ３１６とを含む。また、モバイル通信機器３２０と、ワイヤレスネットワーク３１８と、広域ネットワーク（ＷＡＮ）３１２と、ファイアウォール３１０と、デスクトップクライアント３０８と、１つ以上のその他の電子メッセージシステム３１４とを図示されている。
【００３２】
メールサーバ３０２は、ローカルエリアコンピュータネットワーク（ＬＡＮ）内部のコンピュータ上で実行している電子メッセージソフトウェアを含み得る。メールサーバ３０２はローカルネットワーク機器３０４、３０６および３０８にＬＡＮ経由で連結され、リモートネットワーク機器３１４および３１６にＷＡＮ３１２経由で連結される。ＬＡＮおよびＷＡＮ３１２は、ファイアウォール３１０により分離され得る。
【００３３】
メールサーバ３０２は、ＬＡＮ内の各デスクトップクライアント３０８に対して、電子メールアカウントデータベース３０６内部に電子メールアカウントを維持する。電子メールアカウントデータベース３０６は、メールサーバ３０２に連結された１つ以上のストレージ機器であり得、メールサーバ３０２と同じネットワーク機器内部またはＬＡＮ内部の１つ以上の異なる機器内に含まれ得る。デスクトップクライアント３０８は、ＬＡＮ経由でメールサーバ３０２に連結される多数のコンピュータ（例えば、パーソナルコンピュータ、ターミナル、ラップトップコンピュータ、またはその他のプロセッシング機器）のうちの１つであり得、メールサーバ経由で電子メッセージ（電子メール）を送受信するために電子メッセージソフトウェアを実行する。
【００３４】
デスクトップクライアント３０８から送信された電子メッセージは、メールサーバ３０２により、対応する電子メールアカウント３０６内部の送信メッセージストレージロケーション（「ｏｕｔｂｏｘ」）内に格納される。送信メッセージがＬＡＮ内部の電子メールアカウントにアドレス指定される場合には、メールサーバ３０２は、そのメッセージを、適切な電子メールアカウント３０６内の受信メッセージストレージロケーション（「ｉｎｂｏｘ」）に配信する。しかし、送信メッセージが別の電子メッセージシステム３１４内の電子メールアカウントにアドレス指定される場合には、そのメッセージはＷＡＮ３１２経由で配信される。同様に、電子メールアカウント３０６にアドレス指定された受信電子メールは、メールサーバ３０２により受信され、適切な受信メッセージストレージロケーション（「ｉｎｂｏｘ」）内部の電子メールアカウントデータベース３０６に格納される。次いで、この受信電子メールは、電子メールアカウント３０６からデスクトップクライアント３０８により回収され得るか、またはメールサーバ３０２によりデスクトップクライアント３０８に自動的に押し出され得る。
【００３５】
エンタープライズサーバ３０４は、ＬＡＮ内のコンピュータ上で実行する電子メール（Ｅメール）リダイレクトソフトウエアを含み得る。エンタープライズサーバ３０４は、電子メールアカウント３０６からモバイル通信機器３２０へ、電子メールメッセージ（Ｅメール）をリダイレクトするために、および、メールサーバ３０２によって配信するためにモバイル通信機器３２０から送信されたメッセージを電子メールアカウント３０６内に置くために、動作可能である。エンタープライズサーバ３０４は、モバイル通信機器３２０と通信するために使用される、ワイヤレス識別（例えばＰＩＮ）などの、モバイル機器情報を格納する。エンタープライズサーバ３０４は、例えば、ＷＡＮ３１２とワイヤレスネットワーク３１８との間のインターフェースを提供するワイヤレスゲートウェイ３１６と共にダイレクトＴＣＰ／ＩＰレベルコネクションを使用して、モバイル通信機器３２０と通信し得る。
【００３６】
電子メッセージ（電子メール）が、電子メールアカウント３０６のインボックス内に受信されると、その電子メールはエンタープライズサーバ３０４によって検出され、メッセージのコピーおよび任意の必要なモバイル機器情報が、ＷＡＮ３１２によってワイヤレスゲートウェイ３１６へ送信される。例えば、エンタープライズサーバ３０４は、メッセージのコピーを、モバイル通信機器３２０用のワイヤレス識別（例えばＰＩＮ）と共に、１つ以上のデータパケット内に封入し、ダイレクトＴＣＰ／ＩＰレベルコネクションによって、データパケットをワイヤレスゲートウェイ３１６へ送信し得る。次にワイヤレスゲートウェイ３１６は、ワイヤレスネットワーク３１８によって、電子メッセージを含有するデータパケットをモバイル通信機器３２０へ送信するために、ワイヤレス識別および／またはその他のモバイル機器情報を使用し得る。
【００３７】
モバイル通信機器３２０から送信される電子メッセージは、エンタープライズサーバ３０４用のネットワーク識別と共に１つ以上のデータパケット内に封入され、次に、ワイヤレスネットワーク３１８によってワイヤレスゲートウェイ３１６へ送信され得る。ワイヤレスゲートウェイ３１６は、好ましくはダイレクトＴＣＰ／ＩＰレベルコネクションを経由して、ＷＡＮ３１２によってデータパケットをエンタープライズサーバ３０４へ転送するために、エンタープライズサーバ３０４用のネットワーク識別を使用し得る。ワイヤレスゲートウェイ３１６からデータパケットを受信すると、エンタープライズサーバ３０４は、封入された電子メッセージ（電子メール）を関連する電子メールアカウント３０６のアウトボックスの中に置く。次にメールサーバ３０２は、前述の通り、アウトボックス内の電子メールを検出し、メッセージを配信する。
【００３８】
セキュリティは、エンタープライズサーバ３０４とモバイル通信機器３２０との間で送信される全ての電子メッセージを暗号化することにより、ファイアウォール３１０の外側で維持され得る。例えば、モバイル通信機器３２０へリダイレクトされるべき電子メッセージは、エンタープライズサーバ３０４によって暗号化され、圧縮され得、次に暗号化されたメッセージは、モバイル通信機器３２０へ配信するために、１つ以上のデータパケット内に封入され得る。セキュリティを維持するために、電子メッセージは、エンタープライズサーバ３０４からモバイル通信機器３２０までの通信経路３１６、３１８、３１２全体において暗号化されたままであり得る。同様に、モバイル通信機器３２０から送信される電子メッセージは、パケット化されてエンタープライズサーバ３０４へ送信される前に、モバイル通信機器３２０によって暗号化され、圧縮され得、モバイル通信機器３２０からエンタープライズサーバ３０４までの通信経路３１６、３１８、３１２全体において暗号化されたままであり得る。
【００３９】
加えて、エンタープライズサーバ３０４は、通信サブシステムと、メモリサブシステムと、プロセッシングサブシステムとを含み得る。通信サブシステムは、ＷＡＮ３１２によってワイヤレスゲートウェイ３１６と通信するように動作可能であり得る。メモリサブシステムは、データおよびプログラム情報を格納するように動作可能であり得る。プロセッシングサブシステムは、メモリサブシステム内のデータを格納および検索して、メモリサブシステム内に格納されたプログラムを実行するように、および、通信サブシステムにＷＡＮ３１２によって情報を送信および受信させるように動作可能であり得る。エンタープライズサーバ３０４はまた、メモリサブシステム内に格納されるメッセージフォーマットプログラムを含み得る。そのメッセージフォーマットプログラムは、ここに記載されたメッセージフォーマット機能を実行するプロセッシングサブシステムによって実行される。
【００４０】
図１および図４を相互参照すると、モバイル通信機器３２０からリダイレクトされる電子メッセージは、デスクトップクライアント３０８において構成された電子メッセージのフォーマットに合わせるために、エンタープライズサーバ３０４によって再フォーマット
され得る。モバイル通信機器３２０から送信する電子メッセージを受信すると、エンタープライズサーバ３０４は、関連するユーザアカウント３０６内に格納されたメッセージフォーマットデータ２０にアクセスし、メールサーバ３０２によって配信するために、再フォーマットされたメッセージを電子メールアカウント３０６のアウトボックス内に置く前に、該メッセージを再フォーマットし得る。この方法において、モバイル通信機器３２０において構成される電子メッセージは、デスクトップクライアント３０８で構成されるメッセージと同じフォーマットで配信され得る。
【００４１】
図４と、図２ならびに図３とを相互参照すると、モバイル通信機器３２０からリダイレクトされる返信メッセージおよび転送メッセージは、そのメッセージがデスクトップクライアント３０８で構成された場合に使用されるであろうフォーマットに合わせるために、エンタープライズサーバ３０４によって再フォーマットされ得る。モバイル通信機器３２０から送信する電子メッセージを受信すると、エンタープライズサーバ３０４は、そのメッセージが返信メッセージであるか、転送メッセージであるかを決定し得る。エンタープライズサーバ３０４が、送信するメッセージが返信であるか、転送であるかを決定した場合には、エンタープライズサーバ３０４は、返信メッセージまたは転送メッセージ用に指定されるメッセージフォーマットを決定するために、関連するユーザアカウント３０６内に格納されたメッセージフォーマットデータ２０にアクセスし得る。例えば、メッセージフォーマットデータ２０は、モバイル通信機器３２０か、または、デスクトップクライアント３０８のいずれかからの全ての返信メッセージおよび転送メッセージが、オリジナルメッセージからのメッセージフォーマットを使用してフォーマットされるように指定し得る。次にエンタープライズサーバ３０４は、指定されたメッセージフォーマットを使用して、モバイル通信機器３２０からの送信するメッセージを再フォーマットし、メールサーバ３０２によって配信するために、電子メールアカウント３０６のアウトボックス内に再フォーマットされたメッセージを置き得る。この方法において、モバイル通信機器３２０で構成される返信メッセージおよび転送メッセージは、デスクトップクライアント３０８で構成された場合と同じメッセージフォーマットで配信され得る。
【００４２】
図５は、例としてモバイル通信機器４００を図示するブロック図である。モバイル通信機器４００は、プロセッシングサブシステム４３８、通信サブシステム４１１、短距離用通信サブシステム４４０、メモリサブシステム４２４、４２６、様々なその他の機器サブシステム、および／または、ソフトウエアモジュール４４２を含む。モバイル通信機器４００はまた、ユーザインターフェイスをも含み、これは、ディスプレイ４２２、キーボード４３２、スピーカ４３４、マイクロホン４３６、１つ以上の補助的な入力／出力機器４２８、シリアルポート４３０、および／または、その他のユーザインターフェイス機器を含み得る。
【００４３】
プロセッシングサブシステム４３８は、モバイル通信機器４００の全体的な動作を制御する。プロセッシングサブシステム４３８によって実行されるオペレーティングシステムソフトウエアは、フラッシュメモリ４２４などの、持続性の記憶装置内に格納され得るが、読み出し専用メモリ（ＲＯＭ）または類似の記憶要素などの、メモリサブシステム内のその他のタイプのメモリ機器にも格納され得る。加えて、システムソフトウエア、特定のデバイスアプリケーション、またはそれらの一部分が、ランダムアクセスメモリ（ＲＡＭ）４２６などの、揮発性の記憶装置内に一時的にロードされ得る。モバイル通信機器４００によって受信される通信信号もまた、ＲＡＭ４２６に格納され得る。
【００４４】
プロセッシングサブシステム４３８は、そのオペレーティングシステム機能に加え、機器４００上でのソフトウエアアプリケーション４２４の実行を可能にする。データ通信および音声通信などの、基本的な機器の動作を制御する所定の１組のアプリケーションが、製造中に機器４００にインストールされ得る。加えて、電子メッセージアプリケーション
を含む個人情報マネージャー（ＰＩＭ）アプリケーションが、機器にインストールされ得る。ＰＩＭは、例えば、電子メール、カレンダーイベント、ボイスメール、アポイントメント、タスク項目などのデータ項目を体系化し、管理するように動作可能であり得る。ＰＩＭアプリケーションはまた、ワイヤレスネットワーク４１９を経由してデータ項目を送信および受信するようにも動作可能であり得る。
【００４５】
データ通信および音声通信を含む通信機能は、通信サブシステム４１１を通じて実行され、短距離用通信サブシステム４４０を通じて実行されることも可能である。通信サブシステム４１１は、レシーバ４１２、トランスミッタ４１４、および１つ以上のアンテナ４１６、４１８を含む。加えて、通信サブシステム４１１はまた、デジタル信号プロセッサ（ＤＳＰ）４２０またはその他のプロセッシング機器、および局部発振器（ＬＯ）４１３などのプロセッシングモジュールも含む。通信サブシステム４１１の特定の設計および実行は、モバイル通信機器４００が動作することが意図される通信ネットワークに依存する。例えば、モバイル通信機器４００は、Ｍｏｂｉｔｅｘ（登録商標）モバイル通信システム、ＤａｔａＴＡＣ（登録商標）モバイル通信システム、ＧＳＭネットワーク、ＧＰＲＳネットワーク、ＵＭＴＳネットワーク、および／またはＥＤＧＥネットワーク内で動作するように設計された通信サブシステム４１１を含み得る。
【００４６】
ネットワークアクセスの要件は、通信システムのタイプにより異なる。例えば、ＭｏｂｉｔｅｘおよびＤａｔａＴＡＣネットワークにおいて、モバイル通信機器は、固有の個人識別番号または各機器に関連するＰＩＮを使用して、ネットワーク上で登録される。しかし、ＵＭＴＳおよびＧＳＭ／ＧＰＲＳネットワークにおいては、ネットワークアクセスは、機器の加入者またはユーザに関連する。従って、ＧＰＲＳ機器は、ＧＳＭ／ＧＰＲＳネットワーク上で動作するために、一般的にＳＩＭカードと呼ばれる加入者識別モジュールを要する。
【００４７】
必要なネットワーク登録または活性化の手順が完了されると、モバイル通信機器４００は、通信ネットワーク４１９によって通信信号を送信および受信し得る。通信ネットワーク４１９からアンテナ４１６によって受信された信号は、レシーバ４１２に経路がとられ、レシーバ４１２は、信号の増幅、周波数ダウンコンバージョン、フィルタリング、チャネルの選択などを提供し、また、アナログからデジタルへの変換も提供し得る。受信された信号のアナログからデジタルへの変換は、ＤＳＰが、復調および復号などの、より複雑な通信機能を実行することを可能にする。類似の方法において、ネットワーク４１９へ送信されるべき信号が、ＤＳＰ４２０によって処理され（例えば変調および符号化される）、次に、デジタルからアナログへの変換、周波数アップコンバージョン、フィルタリング、増幅、および、アンテナ４１８を経由する通信ネットワーク４１９（または複数のネットワーク）への送信のために、トランスミッタ４１４に提供される。
【００４８】
通信信号の処理に加え、ＤＳＰ４２０は、レシーバ４１２およびトランスミッタ４１４の制御を提供する。例えば、レシーバ４１２およびトランスミッタ４１４において通信信号に適用されるゲイン（ｇａｉｎ）は、ＤＳＰ４２０内で実行される自動ゲイン制御アルゴリズムを通じて適用するように制御され得る。
【００４９】
データ通信モードにおいて、テキストメッセージまたはウェブページのダウンロードなどの受信された信号は、通信サブシステム４１１によって処理され、プロセッシング機器４３８に入力される。受信された信号は、ディスプレイ４２２に、あるいはその他の補助的なＩ／Ｏ機器４２８に出力するために、プロセッシング機器４３８によって更に処理される。機器のユーザはまた、キーボード４３８、および／あるいは、タッチパッド、ロッカースイッチ、サムホイール（ｔｈｕｍｂ−ｗｈｅｅｌ）、またはその他のタイプの入力機器などのその他の補助的なＩ／Ｏ機器４２８を使用して、電子メールメッセージなどの
データ項目を構成し得る。構成されたデータ項目は、通信サブシステム４１１を経由して、通信ネットワーク４１９によって送信され得る。
【００５０】
音声通信モードにおいては、受信された信号がスピーカ４３４に出力され、送信するための信号がマイクロホン４３６によって生成されることを除いては、機器の全体的な動作がデータ通信モードに実質的に類似である。音声メッセージ録音サブシステムなどの、代わりの音声またはオーディオＩ／Ｏサブシステムもまた、機器４００上で実行され得る。加えて、ディスプレイ４２２もまた、例えば、発呼者（ｃａｌｌｉｎｇ  ｐａｒｔｙ）の識別、音声呼び出しの持続時間、またはその他の音声呼び出しに関連した情報をディスプレイするために、音声通信モードにおいても利用され得る。
【００５１】
短距離用通信サブシステム４４０は、モバイル通信機器４００と、必ずしも類似の機器である必要のないその他の近似のシステムまたは機器との間の通信を可能にする。例えば、短距離用通信サブシステム４４０は、同様に可能にされたシステムおよび機器との通信を提供するために、赤外線機器および関連する回路ならびにコンポーネント、あるいはＢｌｕｅｔｏｏｔｈ（登録商標）通信モジュールを含み得る。
【００５２】
この記載された明細書は、実施例を使用して、最良の形態を含む本発明を開示し、また、当業者が本発明を実施し、使用することを可能とする。本発明の特許可能な範囲には、当業者が思いつくその他の実施例が含まれ得る。
【図面の簡単な説明】
【００５３】
【図１】モバイル通信機器からの電子メッセージをフォーマットするシステムおよび方法の例を示すブロック図
【図２】モバイル通信機器からの返信メッセージをフォーマットするシステムおよび方法の例を示すブロック図
【図３】モバイル通信機器からの転送メッセージをフォーマットするシステムおよび方法の例を示すブロック図
【図４】モバイル通信機器への電子メッセージおよびモバイル通信機器からの電子メッセージをリダイレクトするシステムの例のブロック図
【図５】モバイル通信機器の例のブロック図
【図１】
2008017519.tif 000003
【図２】
2008017519.tif 000004
【図３】
2008017519.tif 000005
【図４】
2008017519.tif 000006
【図５】
2008017519.tif 000007